(57)【要約】  本発明は、無線セルラー通信システムから基地局間の端末の端末対端末発見信号送信方法及び装置を提供する。本発明のＤ２Ｄ通信をサポートする無線通信システムにおいて、基地局の信号送信方法は、前記基地局に隣接した基地局に対する隣接基地局の関連情報を獲得する段階と、及び前記獲得した隣接基地局の関連情報を端末に送信して前記端末の発見信号に対する送信電力を制御する段階と、を含むことを特徴とする。
2016526852.tif 000002
【特許請求の範囲】
【請求項１】
端末対端末(Ｄｅｖｉｃｅ ｔｏ Ｄｅｖｉｃｅ、Ｄ２Ｄ)通信をサポートする無線通信システムにおいてサービング基地局の信号送信方法であって、
前記サービング基地局に対するＤ２Ｄ設定情報を設定する段階と、
前記サービング基地局に対するＤ２Ｄ設定情報に含まれたＤ２Ｄサブフレームに基づいて端末のＤ２Ｄサブフレーム送信区間を設定する段階と、
前記サービング基地局に対するＤ２Ｄ設定情報に含まれたＤ２Ｄサブフレームに基づいて前記端末のＤ２Ｄサブフレーム受信区間を設定する段階と、を含むことを特徴とする、信号送信方法。
【請求項２】
隣接した基地局から前記隣接した基地局に対するＤ２Ｄ設定情報を獲得する段階をさらに含み、
前記端末のＤ２Ｄサブフレーム受信区間を設定する段階は、前記隣接した基地局に対する前記Ｄ２Ｄ設定情報を考慮することを特徴とする、請求項1に記載の信号送信方法。
【請求項３】
前記Ｄ２Ｄ設定情報は、
前記Ｄ２Ｄ設定情報を設定した基地局の識別子、Ｄ２Ｄ通信とセルラー通信の多重化情報、Ｄ２Ｄ信号受信電力目標、セル特定基準信号(Ｃｅｌｌ ｓｐｅｃｉｆｉｃ Ｒｅｆｅｒｅｎｃｅ Ｓｉｇｎａｌ、ＣＲＳ)送信電力又は隣接セル情報のうちの少なくとも一つを含むことを特徴とする、請求項1に記載の信号送信方法。
【請求項４】
前記獲得する段階は、
基地局間のＸ２インターフェースを介して前記隣接した基地局に対するＤ２Ｄ設定情報を獲得することを特徴とする、請求項2に記載の信号送信方法。
【請求項５】
前記端末の前記Ｄ２Ｄサブフレーム送信区間に対する情報及び前記端末の前記Ｄ２Ｄサブフレーム受信区間に対する情報を前記端末にシグナリングする段階をさらに含むことを特徴とする、請求項1に記載の信号送信方法。
【請求項６】
前記シグナリングする段階は、
システム情報ブロック、上位階層信号又は物理階層信号のうちの少なくとも一つの信号を介して前記端末の前記Ｄ２Ｄサブフレーム送信区間に対する情報及び前記端末の前記Ｄ２Ｄサブフレーム受信区間に対する情報を前記端末に送信することを特徴とする、請求項５に記載の信号送信方法。
【請求項７】
端末対端末(Ｄｅｖｉｃｅ ｔｏ Ｄｅｖｉｃｅ、Ｄ２Ｄ)通信をサポートする無線通信システムにおいて端末の発見信号送受信方法であって、
前記端末のサービング基地局からＤ２Ｄサブフレーム送信区間に対する情報及びＤ２Ｄサブフレーム受信区間に対する情報を受信する段階と、
Ｄ２Ｄサブフレーム送信区間に対する情報に基づいて発見信号を送信する段階と、
Ｄ２Ｄサブフレーム受信区間に対する情報に基づいて発見信号を受信する段階と、を含み、
前記Ｄ２Ｄサブフレーム送信区間は前記サービング基地局に対するＤ２Ｄ設定情報に含まれたＤ２Ｄサブフレームに基づいて生成され、前記Ｄ２Ｄサブフレーム受信区間は前記サービング基地局に対するＤ２Ｄ設定情報に含まれたＤ２Ｄサブフレームに基づいて設定されたことを特徴とする発見信号送信方法。
【請求項８】
前記Ｄ２Ｄサブフレーム受信区間は隣接した基地局に対するＤ２Ｄ設定情報に含まれたＤ２Ｄサブフレームを考慮して設定されたことを特徴とする、請求項７に記載の発見信号送信方法。
【請求項９】
前記受信する段階は、
システム情報ブロック、上位階層信号又は物理階層信号のうちの少なくとも一つの信号を介して前記端末の前記Ｄ２Ｄサブフレーム送信区間に対する情報及び前記端末の前記Ｄ２Ｄサブフレーム受信区間に対する情報を受信することを特徴とする、請求項７に記載の発見信号送信方法。
【請求項１０】
端末対端末(Ｄｅｖｉｃｅ ｔｏ Ｄｅｖｉｃｅ、Ｄ２Ｄ)通信をサポートする無線通信システムにおいて信号を送受信するサービング基地局であって、
端末又は前記サービング基地局と隣接した基地局と信号を送受信する送受信部と、
前記サービング基地局に対するＤ２Ｄ設定情報を設定し、前記サービング基地局に対するＤ２Ｄ設定情報に含まれたＤ２Ｄサブフレームに基づいて端末のＤ２Ｄサブフレーム送信区間を設定し、前記サービング基地局に対するＤ２Ｄ設定情報に含まれたＤ２Ｄサブフレームに基づいて前記端末のＤ２Ｄサブフレーム受信区間を設定する制御部と、を含むことを特徴とする、基地局。
【請求項１１】
前記制御部は、隣接した基地局から前記隣接した基地局に対するＤ２Ｄ設定情報を獲得し、前記隣接した基地局に対する前記Ｄ２Ｄ設定情報を考慮して前記端末のＤ２Ｄサブフレーム受信区間を設定することを特徴とする、請求項１０に記載の基地局。
【請求項１２】
前記Ｄ２Ｄ設定情報は、
前記Ｄ２Ｄ設定情報を設定した基地局の識別子、Ｄ２Ｄ通信とセルラー通信の多重化情報、Ｄ２Ｄ信号受信電力目標、セル特定基準信号(Ｃｅｌｌ ｓｐｅｃｉｆｉｃ Ｒｅｆｅｒｅｎｃｅ Ｓｉｇｎａｌ、ＣＲＳ)送信電力又は隣接セル情報のうちの少なくとも一つを含むことを特徴とする、請求項１０に記載の基地局。
【請求項１３】
前記送受信部は基地局の間Ｘ２インターフェースをさらに含み、
前記制御部は前記Ｘ２インターフェースを介して前記隣接した基地局に対するＤ２Ｄ設定情報を獲得することを特徴とする、請求項１１に記載の基地局。
【請求項１４】
前記制御部は、
前記端末の前記Ｄ２Ｄサブフレーム送信区間に対する情報及び前記端末の前記Ｄ２Ｄサブフレーム受信区間に対する情報を前記端末にシグナリングすることを特徴とする、請求項１０に記載の基地局。
【請求項１５】
前記制御部は、
システム情報ブロック、上位階層信号又は物理階層信号のうちの少なくとも一つの信号を介して前記端末の前記Ｄ２Ｄサブフレーム送信区間に対する情報及び前記端末の前記Ｄ２Ｄサブフレーム受信区間に対する情報を前記端末に送信することを特徴とする、請求項１４に記載の基地局。
【請求項１６】
端末対端末(Ｄｅｖｉｃｅ ｔｏ Ｄｅｖｉｃｅ、Ｄ２Ｄ)通信をサポートする無線通信システムにおいて発見信号を送受信する端末であって、
基地局又は他の端末と信号を送受信する送受信部と、
前記端末のサービング基地局からＤ２Ｄサブフレーム送信区間に対する情報及びＤ２Ｄサブフレーム受信区間に対する情報を受信し、Ｄ２Ｄサブフレーム送信区間に対する情報に基づいて発見信号を送信し、Ｄ２Ｄサブフレーム受信区間に対する情報に基づいて発見信号を受信する制御部と、を含み、
前記Ｄ２Ｄサブフレーム送信区間は前記サービング基地局に対するＤ２Ｄ設定情報に含まれたＤ２Ｄサブフレームに基づいて設定され、前記Ｄ２Ｄサブフレーム受信区間は前記サービング基地局に対するＤ２Ｄ設定情報に含まれたＤ２Ｄサブフレームに基づいて設定されたことを特徴とする、端末。
【請求項１７】
前記Ｄ２Ｄサブフレーム受信区間は隣接した基地局に対するＤ２Ｄ設定情報に含まれたＤ２Ｄサブフレームを考慮して設定されたことを特徴とする、請求項１６に記載の端末。
【請求項１８】
前記制御部は、
システム情報ブロック、上位階層信号又は物理階層信号のうちの少なくとも一つの信号を介して前記端末の前記Ｄ２Ｄサブフレーム送信区間に対する情報及び前記端末の前記Ｄ２Ｄサブフレーム受信区間に対する情報を受信することを特徴とする、請求項１６に記載の端末。
【発明の詳細な説明】
【技術分野】
【０００１】
本発明は、無線移動通信システムに関し、特に端末対端末通信技術と無線セルラー通信技術が混在されて使用される状態での端末の送信電力制御手続きと多重化手続きを含む端末動作、及びそれに相応する基地局動作、及びこれらの装置に関する。
【背景技術】
【０００２】
無線移動通信システムを用いたサービスの種類が大きく多様になることにより、新たに登場するサービスをより効率的にサポートするための新技術に対する要求が必要となり、それによって無線移動通信システムのうちで新しい方法及び技術が開発されて研究されている。
【０００３】
端末対端末(Ｄｅｖｉｃｅ ｔｏ Ｄｅｖｉｃｅ、Ｄ２Ｄ)通信が、新しいサービスに対する解決策で登場した新技術として、Ｄ２Ｄ通信は基本的に任意の端末が前記端末の周りに存在する他の端末との直接的な通信ができるようにする技術である。Ｄ２Ｄ通信技術を用いると、端末は周りにどんな端末が存在するかを発見(ｄｉｓｃｏｖｅｒｙ)する発見動作と、通信が必要なに端末と直接的な通信(Ｄｉｒｅｃｔ ｃｏｍｍｕｎｉｃａｔｉｏｎ)動作などが可能となる。
【０００４】
Ｄ２Ｄ端末が直接的な通信を行うようになれば、既存の無線ネットワークを用いて基地局を用いて通信を行うことに対し、相対的に少ない無線リソースを使用するようになるので無線リソース効率面で大きいメリットを持つようになる。また、端末の周りにある端末を発見することができる方法がサポートされるから端末が直接望む端末に必要な情報を与えることができるようになり、広告サービス、ソシアルネットワークサービス(Ｓｏｃｉａｌ Ｎｅｔｗｏｒｋｉｎｇ Ｓｅｒｖｉｃｅ：以下、ＳＮＳ)などをサポートするにおいて効率性を大きく高めることができるようになる。現在、高等長期進化(Ｌｏｎｇ Ｔｅｒｍ Ｅｖｏｌｕｔｉｏｎ−Ａｄｖａｎｃｅｄ：以下、ＬＴＥ-Ａ)システムでもＤ２Ｄ技術に対するサポートを必要とし、それに対する技術的な論議が進行しつつある。
【０００５】
ところが、Ｄ２Ｄ通信技術と無線セルラー通信技術が混在されて使用される場合、システムでＤ２Ｄ技術を使用する端末と、セルラー端末が相互間の受信感度低下問題が発生することができ、これに対する研究が必要な実情である。
【発明の概要】
【発明が解決しようとする課題】
【０００６】
本発明は、前記のような問題点を解決するために案出されたもので、移動通信システムでＤ２Ｄ技術を使用する端末と、セルラー端末が相互間の受信感度低下問題を発生せず、かつ通信を行うために必要なＤ２Ｄチャンネルの電力制御手続き、一つの端末がＤ２Ｄデータと、セルラーデータを同時に送信する手続き、及び前記手続きをサポートするための基地局と端末の動作方法及び装置を提供するにその目的がある。
【課題を解決するための手段】
【０００７】
前記のような問題点を解決するための本発明のＤ２Ｄ通信をサポートする無線通信システムにおいて基地局の信号送信方法は、前記基地局と隣接した基地局に対する隣接基地局の関連情報を獲得する段階と、及び前記獲得した隣接基地局の関連情報を端末に送信して前記端末の発見信号に対する送信電力を制御する段階と、を含むことを特徴とする。
【０００８】
また、本発明のＤ２Ｄ通信をサポートする無線通信システムにおいて端末の発見信号送信電力制御方法は、基地局から隣接基地局の関連情報を受信する段階と、隣接基地局が検出されるか否かを判定する段階と、前記隣接基地局が検出される場合、前記隣接基地局の関連情報に基づいて発見信号を送信するサブフレームと同じ時点に、前記隣接基地局が使用するサブフレームがセルラー通信サブフレームと設定されたかを判定する段階、及び前記セルラー通信サブフレームと設定された場合、前記発見信号の送信電力を制御する段階と、を含むことを特徴とする。
【０００９】
また、本発明のＤ２Ｄ通信をサポートする無線通信システムにおいて端末の発見信号送信電力制御方法は、隣接基地局が検出するか否かを判定する段階と、検出の際、前記隣接基地局からＤ２Ｄ通信関連情報を受信する段階と、前記受信したＤ２Ｄ通信関連情報に基づいて発見信号を送信するサブフレームと同じ時点に、前記隣接基地局が使用するサブフレームがセルラー通信サブフレームと設定されたか判定する段階と、前記セルラー通信サブフレームと設定された場合、前記発見信号の送信電力を制御する段階と、を含むことを特徴とする。
【００１０】
また、本発明のＤ２Ｄ通信をサポートする無線通信システムにおいて端末の発見信号送信方法は、前記端末のサービング基地局からサービング基地局の関連情報を受信し、前記端末の隣接基地局から隣接基地局の関連情報を受信する段階と、前記サービング基地局の関連情報及び前記隣接基地局の関連情報に基づいて、前記サービング基地局のＤ２Ｄ通信サブフレームと前記隣接基地局のＤ２Ｄ通信サブフレームが重畳するか否かを判定する段階、及び重畳の際、重畳された区間で発見信号を送信する段階と、を含むことを特徴とする。
【００１１】
また、本発明のＤ２Ｄ通信をサポートする無線通信システムにおいて信号を送信する基地局は、端末又は隣接した基地局と信号を送受信する送受信部、及び前記基地局と隣接した基地局に対する隣接基地局の関連情報を獲得し、前記獲得した隣接基地局の関連情報を端末に送信して前記端末の発見信号に対する送信電力を制御するように制御する制御部と、を含むことを特徴とする。
【００１２】
また、本発明のＤ２Ｄ通信をサポートする無線通信システムにおいて発見信号送信電力を制御する端末は、基地局と信号を送受信する送受信部、及び前記基地局から隣接基地局の関連情報を受信し、隣接基地局が検出されるか否かを判定し、前記隣接基地局が検出される場合、前記隣接基地局の関連情報に基づいて発見信号を送信するサブフレームと同じ時点に、前記隣接基地局が使用するサブフレームがセルラー通信サブフレームと設定されたか判定し、前記セルラー通信サブフレームと設定された場合、前記発見信号の送信電力を制御する制御部と、を含むことを特徴とする。
【００１３】
また、本発明のＤ２Ｄ通信をサポートする無線通信システムにおいて発見信号送信電力を制御する端末は、基地局と信号を送受信する送受信部、及び隣接基地局が検出するか否かを判定し、検出の際、前記隣接基地局からＤ２Ｄ通信関連情報を受信し、前記受信したＤ２Ｄ通信関連情報に基づいて発見信号を送信するサブフレームと同じ時点に、前記隣接基地局が使用するサブフレームがセルラー通信サブフレームと設定されたか判定し、前記セルラー通信サブフレームと設定された場合、前記発見信号の送信電力を制御する制御部と、を含むことを特徴とする。
【００１４】
そして、本発明のＤ２Ｄ通信をサポートする無線通信システムにおいて発見信号を送信する端末は、サービング基地局又は隣接基地局と信号を送受信する送受信部、及び前記端末のサービング基地局からサービング基地局の関連情報を受信して前記端末の隣接基地局から隣接基地局の関連情報を受信するように制御し、前記サービング基地局の関連情報及び前記隣接基地局の関連情報に基づいて前記サービング基地局のＤ２Ｄ通信サブフレームと前記隣接基地局のＤ２Ｄ通信サブフレームが重畳するか否かを判定し、重畳の際、重畳された区間で発見信号を送信するように制御する制御部と、を含むことを特徴とする。
【発明の効果】
【００１５】
本発明によれば、Ｄ２Ｄ通信と無線セルラー通信が混在された無線通信システムにおいて、Ｄ２Ｄ通信のための発見信号の送信電力を制御して前記無線セルラー通信に干渉を最小化させることができる。
【図面の簡単な説明】
【００１６】
【図１】セルラーシステムのうちでＤ２Ｄ通信がサポートされる態様を示す図面である。
【図２】ＴＤＭ方式を用いてＤ２Ｄ送信と既存のセルラー送信を多重化した状況を示す図面である。
【図３】同期が合わない２個の基地局間の互いに異なる形態でセルラーリソースとＤ２ＤリソースのＴＤＭ多重化が設定された場合を示す図面である。
【図４】本発明の実施形態１を説明するためのネットワーク図面である。
【図５】本発明の実施形態１に対する基地局の動作手順を示すフローチャートである。
【図６Ａ】本発明の実施形態１に対する端末の動作手順を示すフローチャートである。
【図６Ｂ】隣接セル６５１がサービングセル６５２へＤ２Ｄ設定情報６５３を伝達する過程を示す図面である。
【図７】実施形態２を説明するためのネットワーク図面である。
【図８】本発明の実施形態２に対する基地局の動作手順を示すフローチャートである。
【図９】本発明の実施形態２に対する端末の動作手順を示すフローチャートである。
【図１０】セル間の設定が他の場合、Ｄ２Ｄリソースが時間軸で重なる部分が発生することができることを示す図面である。
【図１１】本発明の実施形態３を行う端末の動作手順を示すフローチャートである。
【図１２】本発明の実施形態４を説明するためのネットワーク図面である。
【図１３】実施形態４を行う端末の動作手順を示すフローチャートである。
【図１４】本発明の実施形態５による基地局の動作手順を示すフローチャートである。
【図１５】本発明の実施形態５による端末の動作手順を示すフローチャートである。
【図１６】本発明の実施形態による基地局の内部構造を示すブロック図である。
【図１７】本発明の実施形態による端末の内部構造を示すブロック図である。
【発明を実施するための形態】
【００１７】
以下、本発明の実施形態を添付した図面と共に詳しく説明する。また、本発明を説明するにあたり、関連する公知機能或いは構成に対する具体的な説明が本発明の要旨を不必要にすることができると判定された場合、その詳細な説明は省略する。そして、後述される用語は本発明での機能を考慮して定義された用語として、これはユーザ、運用者の意図又は慣例などによって変わることができる。したがって、その定義は本明細書全般にわたった内容に基づいて下すべきである。
【００１８】
また、本発明の実施形態を具体的に説明するにあたり、ＯＦＤＭに基づく無線通信システム、特に３ＧＰＰ ＥＵＴＲＡ標準を主な対象とするが、本発明の主な要旨は類似の技術的背景及びチャンネル形態を有するその他の通信システムにも本発明の範囲を大きく逸脱せず範囲で僅かの変形で適用可能であり、これは本発明の技術分野で熟練された技術的知識を有する者の判定で可能であろう。
【００１９】
後述する本発明の実施形態では基地局又はセルは同じ意味で使用されることができる。さらに、Ｄ２Ｄ通信は隣接している端末を発見する端末発見(ｄｉｓｃｏｖｅｒｙ)動作とＤ２Ｄが直接情報を取り交わす直接通信(ｄｉｒｅｃｔ ｃｏｍｍｕｎｉｃａｔｉｏｎ)をすべて含む意味で使用されることができる。
【００２０】
図１は、セルラーシステムのうちでＤ２Ｄ通信がサポートされる態様を示す図面である。
【００２１】
１０１の基地局は、前記基地局が管掌するセル(図１の１０２)のうちに端末１０３と端末１０４を管掌している。基地局が端末を管掌するということは無線サービスを提供するということを意味することができる。前記端末１０３は前記基地局１０１と１０６の端末−基地局間のリンクを用いてセルラー通信を行い、また前記端末１０４は前記基地局１０１と１０７の端末−基地局間のリンクを用いてセルラー通信を行うようになる。前記端末１０３と端末１０４がＤ２Ｄ通信の可能な場合は、基地局１０１を通せず図１の１０５のＤ２Ｄリンクを用いて発見動作、或いは直接通信動作が可能となる。
【００２２】
ＬＴＥ−Ａシステムのようなセルラー無線移動通信システムを用いた端末対端末(Ｄｅｖｉｃｅ ｔｏ Ｄｅｖｉｃｅ：以下、Ｄ２Ｄと称する。)技術は、基本的に既存のセルラーシステムを用いる端末に最大限の被害がない方向にサポートされることを仮定する。
【００２３】
相互間の干渉を及ぼさないように通信を行う方法は、セルラー端末(本発明でセルラー端末はＤ２Ｄ通信ではない既存のＤ２Ｄ基地局通信を行う端末を称する。)が使用する無線リソースと別に互いに重ならないリソースをＤ２Ｄ通信のために使用することもでき、或いはセルラー端末が使用するリソースをＤ２Ｄ端末と同様に使用するが最大限の互いに干渉を与えないように使用する方法も考慮し得る。
【００２４】
ＬＴＥ又はＬＴＥ−Ａシステムが使用するアップリンク、ダウンリンクデュプレキシング方法で周波数分割デュプレキシング(Ｆｒｅｑｕｅｎｃｙ Ｄｉｖｉｓｉｏｎ Ｄｕｐｌｅｘｉｎｇ：以下、ＦＤＤと称する。)方法がある。
【００２５】
前記ＦＤＤではダウンリンクとアップリンクを他の周波数リソースを使用することによって区分する。前記ＦＤＤを使用するシステムでＤ２Ｄ通信を既存のセルラー通信リソースと区分して使用する場合、一般的にダウンリンクとアップリンクリソースのうちでアップリンク周波数リソースをＤ２Ｄで使用する方法がより優先視される傾向がある。これはＦＤＤシステムでダウンリンク周波数リソースにはアップリンク周波数リソースに対し、より多い種類の信号が多重化されており、Ｄ２Ｄ通信用途でリソースを別に割り当てることがアップリンクリソースに比べて難しいからである。また、既存のセルラー端末のみを考慮するＦＤＤシステムで通信サービスの特性上、ダウンリンクトラフィックがアップリンクに比べて多い傾向があり、またダウンリンクに送信されるオーバーヘッド(ｏｖｅｒｈｅａｄ)がアップリンクに比べて多いからダウンリンクリソースに対する周波数使用負担がアップリンクリソースに対する周波数使用負担より一般的にさらに大きくなる。したがって、ダウンリンクリソースをＤ２Ｄ通信用途に割り当てて使用するようになれば、ダウンリンクリソースに対する負担がさらに大きくなり、ダウンリンク、アップリンク周波数リソース使用の均衡を合うことが難しくなることができる。
【００２６】
前記の理由により、ＦＤＤを使用する通信システムでＤ２Ｄ通信のためにアップリンクリソースを用いることが非常に自然に受け入れられている。
【００２７】
一方、前記内容はアップリンク周波数リソースをＤ２Ｄリソースで使用する場合のメリットに対して記述したことで、ダウンリンク周波数リソースをＤ２Ｄリソースで使用することができないと断定することではないことに留意すべきである。
【００２８】
次の問題は、アップリンクリソースでどんなに既存のセルラー通信リソースとＤ２Ｄ通信リソースを区分するかが問題となることができる。既存のセルラー通信リソースとＤ２Ｄ通信リソースの区分は時間多重化(Ｔｉｍｅ Ｄｉｖｉｓｉｏｎ Ｍｕｌｔｉｐｌｅｘｉｎｇ：以下、ＴＤＭ)と周波数多重化(ｆｒｅｑｕｅｎｃｙ Ｄｉｖｉｓｉｏｎ Ｍｕｌｔｉｐｌｅｘｉｎｇ：以下、ＦＤＭ)などの直交方式があり得、追加的に同一リソースを再使用する非直交方式も可能できる。前述したように、Ｄ２Ｄ通信は基本的に既存のセルラー通信を用いる端末に最大限の被害がない方向にサポートされなければならないので、少なくとも端末発見動作に対しては直交方式が選好されており、そのなかでもＴＤＭ方式がより選好されている。ＴＤＭ方式が選好する理由はＴＤＭ方式を使用することによってＤ２Ｄリソースが割り当てられた区間では基地局がセルラー信号に対する受信が必要がなくなり、反対にセルラー通信を送信する区間ではＤ２Ｄ送信が存在しなくなる。したがって、Ｄ２Ｄ送信がセルラー通信を行うにあたり雑音のような影響を及ぼさなくなるからである。
【００２９】
図２は、ＴＤＭ方式を用いてＤ２Ｄ送信と既存のセルラー送信を多重化した状況を示す図面である。
【００３０】
図２の２０１、２０２、２０３は、時間的にセルラーサブフレームとＤ２ＤサブフレームがＴＤＭされていることを示している。２０１と２０３の区間ではセルラー通信が設定されて２０２の区間ではＤ２Ｄ送信が設定される。２０２のＤ２Ｄサブフレームは、２１０のセルの態様に対応されるが、２１０のセルを管掌する２１１の基地局はセルラー通信に参与せず２１２、２１３、２１４のＤ２Ｄ端末だけが互いの発見信号送受信のようなＤ２Ｄ通信だけが行われるようになる。
【００３１】
一方、２０１、２０３のセルラーサブフレームは、２２０のセルの態様に対応されるが、２２０のセルを管掌する２２１の基地局はセルラー通信に参与して２２２、２２３、２２４のセルラー端末とアップリンク通信のための送受信を行うようになる。前記で２１１の基地局と２２１の基地局は同じ基地局であり、時間に応じて基地局の役目が変わる態様を示されるようになる。すなわち、２１１の場合、基地局は何らのアップリンク受信をしないからＤ２Ｄによる影響を受けなく、またセルラー送信がないからＤ２Ｄ端末もＤ２Ｄ送信においてセルラー送信による影響は存在しない。一方、２２１の場合、基地局はセルラーデータに対するアップリンク受信をするが、Ｄ２Ｄ端末がＤ２Ｄのための送信をしないからアップリンク受信がＤ２Ｄから受ける影響は存在しない。
【００３２】
前記でセルラー通信とＤ２Ｄ通信をＴＤＭ多重化するようになれば、互いに周期影響が存在しないと記述した。これは一つの基地局内で該当されることができ、幾つかの基地局を考慮するようになれば他の問題点を予想することができる。
【００３３】
先ず、ＬＴＥシステムは基地局間の同期を必須条件と仮定しない。すなわち、互いに異なる基地局間には同期が合わない状況が可能である。同期が合わない２個の基地局が存在する場合、前記基地局は互いに異なる形態でセルラーリソースとＤ２ＤリソースのＴＤＭ多重化を設定することができる。もちろん、２個の基地局が同期が合っていても互いに異なる形態でセルラーリソースとＤ２ＤリソースのＴＤＭ多重化を設定することも可能である。前記の場合、一つのセルがＤ２Ｄサブフレームと設定された区間のそばに位置したセルはセルラーサブフレームと設定される可能性があることを意味する。図３で前述した状況と、それによる問題点を記述する。
【００３４】
図３は、同期が合わない２個の基地局間の互いに異なる形態でセルラーリソースとＤ２ＤリソースのＴＤＭ多重化が設定された場合を示す図面である。
【００３５】
図３で３００は基地局１(３２１)の時間軸を示し、ＴＤＭを介して３０１のセルラーサブフレームと３０２のＤ２Ｄサブフレームから構成される。一方、３１０は基地局１(３２１)のそばに位置する基地局２(３２２)の時間軸を示し、ＴＤＭを介して３１１のセルラーサブフレームと３１２のＤ２Ｄサブフレームから構成される。図３に示されているように３０２の区間と３１２の区間は、一致せず現在時点が図３の３２０と仮定すれば基地局１(３２１)はＤ２Ｄサブフレームを設定するようになり、一方、基地局２(３２２)はセルラーサブフレームを設定するようになる。ここに、基地局１(３２１)に属したＤ２Ｄ端末３２３、３２４、３２５はＤ２Ｄ発見信号３２９、３３０を送受信するようになる。一方、基地局２(３２６)に属したセルラー端末３２６は基地局２(３２６)でアップリンクセルラー信号３２７を送信することができるが、基地局２(３２６)に属したＤ２Ｄ端末３３１はＤ２Ｄ発見信号を送信することができない。この時、Ｄ２Ｄ端末３２５は基地局１(３２１)と基地局２(３２２)の境界に位置するようになるのに、基地局１(３２１)の動作によって発見信号３３０を送信するようになれば前記信号が結局、基地局２(３２２)では３２８のように雑音(ｉｎｔｅｒｆｅｒｅｎｃｅ)の形態で受信されるようになり、基地局２(３２２)がセルラー端末３２６の信号３２７の受信するにおいて受信性能の低下が発生するようになる(同じ周波数リソースを使用するという仮定下で)。
【００３６】
また、図３のまた他の問題は、他の基地局に含まれているＤ２Ｄ端末は互いに発見信号の送受信が不可能であり、互いを発見し難いという問題である。すなわち、図３でＤ２Ｄ端末３２４とＤ２Ｄ端末３３１が互いに発見信号を送受信するサブフレームが異なり、互いの発見信号を受信することができなくなる。
【００３７】
前記で同期が合わない２個の基地局が存在する場合、前記基地局が互いに異なる形態でセルラーリソースとＤ２ＤリソースのＴＤＭ多重化を設定するようになれば、一方の基地局でＤ２Ｄ送信が隣接基地局では無視することができない雑音で到逹することができ、さらに、互いに異なる形態でセルラーリソースとＤ２ＤリソースのＴＤＭ多重化を設定した基地局に含まれた端末間に発見信号の送受信が難しいという問題点に対して記述した。
【００３８】
本発明では前述されたシナリオでＤ２Ｄ送信が隣接セルのセルラー通信の受信性能を低下させる問題点を解決するためのＤ２Ｄ端末の電力制御手続き及び基地局と端末の動作、及び基地局間にＤ２Ｄ発見動作が難しくなる問題を解決するための基地局と端末の動作に対して記述しようとする。
【００３９】
一方、前記でＤ２Ｄリソースとセルラーリソースの多重化はＴＤＭ方式を仮定すると記述した。これにより、基地局の間にＤ２ＤリソースとセルラーリソースのＴＤＭ多重化方法が変わることができ、Ｄ２Ｄリソースを用いて送信された発見信号が隣接した基地局のセルラー通信に対して雑音として作用することができ、これによってセルラー通信の性能が劣ることができると記述した。
【００４０】
以下、実施形態を通じて前記Ｄ２Ｄ送信による隣接セルのセルラー通信性能低下問題を解決する方法を記述する。
【００４１】
実施形態１：サービング基地局による電力制御
後述する本発明の実施形態１ではサービング基地局がＤ２Ｄ端末の発見信号の強度を制御する方法に対して記述する。より具体的に、実施形態１ではサービング基地局(或いは、サービングセル)でＤ２Ｄの電力制御(ｐｏｗｅｒ ｃｏｎｔｒｏｌ)を介してセルラー通信を遂行中の隣接基地局(或いは隣接セル)の近くに位置するＤ２Ｄ端末の発見信号の強度を制御して発見信号が隣接基地局のセルラー通信の性能に影響を与えないようにする方法を提示する。図４を参考して本実施形態１を説明する。
【００４２】
図４の４０１基地局は、現在のサブフレームでＤ２Ｄ発見信号のためのサブフレームで割り当てた状態であり、４１１の基地局は同一サブフレームでセルラー通信のためのサブフレームで割り当てた状態である。したがって、４０１基地局に属しているＤ２Ｄ端末４０２、４０３、４０４は発見信号送信手続きにより定めた時間−周波数リソースを用いて発見信号を送信し、これと共に他の端末から送信される発見信号の受信を行う。この時、４０４のＤ２Ｄ端末は４０１の基地局と４１１の基地局の中間に位置しており、これによって４０４端末が送信するＤ２Ｄ発見信号は４１１基地局で無視することができない受信電力で４１１基地局に受信される可能性がある。
【００４３】
前記４０４端末が送信するＤ２Ｄ発見信号の受信は、４１１基地局に属したセルラー端末４１２が送信するアップリンクセルラーデータを４１１基地局が受信するにあたり、無視し難い雑音として作用して前記４１２端末のアップリンクセルラー送信性能が劣ることができる。前記４１１基地局のセルラーデータ受信性能に影響を最小化するための方法は、前記４０４端末のＤ２Ｄ発見信号の送信電力を制御し、４１１基地局による前記Ｄ２Ｄ発見信号の受信電力を一定値以下と合わせる方法が可能である。すなわち、４０４端末は隣接基地局４１１の円滑なセルラー通信のためにＤ２Ｄ発見信号の送信電力を減らして４１１基地局に到達される雑音の量を最小化することである。
【００４４】
本実施形態で提示するＤ２Ｄ発見信号の送信電力制御のためにサービング基地局は隣接基地局の関連情報をシグナリングする。これのためにはサービング基地局は隣接基地局の関連情報を獲得しなければならないが、本発明の一実施形態では基地局間のインターフェースであるＸ２インターフェースを介して隣接基地局の関連情報を獲得することができる。
【００４５】
シグナリング方法は、発見信号の送受信に参与するＲＲＣ−アイドルモード端末(ＲＲＣ-ＩＤＬＥ ｍｏｄｅ ＵＥ、以下、アイドル端末)のためにアイドル端末が受信可能な情報であるシステム情報ブロック(Ｓｙｓｔｅｍ ｉｎｆｏｒｍａｔｉｏｎ ｂｌｏｃｋ、以下、ＳＩＢ)に含むＤ２Ｄ端末にシグナリングされることができる。もちろん、Ｄ２Ｄに参与する端末がＲＲＣ−接続モード端末(ＲＲＣ-ＣＯＮＮＥＣＴＥＤ ｍｏｄｅ ＵＥ、以下、接続端末)の場合には、ＳＩＢ情報以外に追加的なＲＲＣシグナリング、又は動的(ｄｙｎａｍｉｃ)シグナリング、物理階層の制御情報などを介して伝達することができる。前記サービング基地局がシグナリングする隣接基地局の関連情報は下記の情報を含むことができる。
１．隣接基地局の関連情報
Ａ．基地局ＩＤ
Ｂ．Ｄ２Ｄ−セルラー多重化情報
Ｃ．Ｄ２Ｄ信号受信電力目標(Ｄ２Ｄ_ＲＸ＿ＴＡＲＧＥＴ＿ＰＯＷＥＲ＿ｅＮＢ)
Ｄ．ＣＲＳ送信電力
Ｅ．その他、隣接セル情報
【００４６】
すなわち、任意の基地局は隣接基地局のＤ２Ｄ情報(前記で羅列された)をＤ２Ｄ端末に通知してＤ２Ｄ端末は前記隣接基地局が検出される場合、サービング基地局と隣接基地局のＤ２Ｄ-セルラー多重化情報を比べて前記端末がＤ２Ｄ発見信号を送信するサブフレームで隣接基地局がＤ２Ｄサブフレームで設定したか否かを判定し、隣接基地局がセルラー通信を使用する場合の以下の数式１を通じて電力制御を行う。
【００４７】
【数１】
2016526852.tif 000003
【００４８】
前記数式１で、ＰＤ２ＤはＤ２Ｄ発見信号に対する送信電力であり、ＰＣＭＡＸ,ｃ は端末が送信することができる最大電力(物理的に端末が送信することができる可能な最大電力又は基地局で設定した端末が送信することができる最大電力となることができる。)、及びＤ２Ｄ＿ＲＸ＿ＴＡＲＧＥＴ＿ＰＯＷＥＲ＿ｅＮＢは、サービング基地局でシグナリングされた情報であり、ＰＬｃは隣接基地局のＣＲＳ(Ｃｅｌｌ ｓｐｅｃｉｆｉｃ ｒｅｆｅｒｅｎｃｅ ｓｉｇｎａｌ)を受信して計算された経路損失(ｐａｔｈ ｌｏｓｓ)値として、この値はＣＲＳ受信電力を計算して受信したＣＲＳ送信電力との比較を介して計算することができる。前記数式は、一般的な方法における数式であり、具体的な電力制御は前記数式に追加される値、すなわち任意の値を乗じたり、任意の値を足した式も可能である。
【００４９】
もし、隣接セルが２個以上の場合には以下の数式２のように設定されることができる。下記の数式２でｎは隣接基地局の個数である。
【００５０】
【数２】
2016526852.tif 000004
【００５１】
以下では図５乃至６を参照して本実施形態１に対するための基地局及び端末動作を記述するようにする。
【００５２】
先ず、図５は本発明の実施形態１に対する基地局の動作手順を示すフローチャートである。
【００５３】
図５で基地局は５０１過程で、基地局の動作を開始する。
【００５４】
そして、基地局は５０２過程で、隣接セルに対する情報を獲得する。前述したように、基地局はＸ２インターフェースを介して隣接基地局の関連情報を獲得することができ、ここで隣接基地局の関連情報に対する例示は前述したようである。
【００５５】
そして、基地局は５０３過程で、ＳＩＢシグナリング、ＲＲＣシグナリング、又はｄｙｎａｍｉｃシグナリングを用いてセル内に存在するＤ２Ｄ端末に隣接セルに対する情報を送信(シグナリング)し、５０４過程で動作を終了する。
【００５６】
図６Ａは、本発明の実施形態１に対する端末の動作手順を示すフローチャートである。
【００５７】
図６でＤ２Ｄ端末は６０１過程で端末の動作を開始する。
【００５８】
すると、６０２過程で、端末はサービングセルから隣接基地局の関連情報を含むＤ２Ｄ関連情報を受信する。前述したように、端末はＳＩＢシグナリング、ＲＲＣシグナリング、又はｄｙｎａｍｉｃシグナリングを介して前記Ｄ２Ｄ関連情報を受信することができる。
【００５９】
隣接セルに対する情報が前記Ｄ２Ｄ関連情報のうちに含まれているので、端末は６０３過程のように隣接セルＤ２Ｄ関連情報を獲得することができる。前記隣接セルＤ２Ｄ関連情報は前記で記述された基地局ＩＤ、Ｄ２Ｄ−セルラー多重化情報、Ｄ２Ｄ信号受信電力目標(Ｄ２Ｄ_ＲＸ＿ＴＡＲＧＥＴ＿ＰＯＷＥＲ＿ｅＮＢ)、ＣＲＳ送信電力、及びその他の隣接セル情報などが可能である。
【００６０】
次いで、端末は６０４過程で、現在の端末が隣接セルのあたりにおいて隣接セルを検出することができるか否かを判定する。隣接セルを検出することができるか否かは隣接セルの同期信号を検出してＣＲＳの受信強度を判定することができるか否か、又はＣＲＳの受信強度を判定してＣＲＳの送信電力と受信電力から計算された経路損失値が任意の値より大きくなるか否かなどと判定することができる。
【００６１】
６０４過程で隣接セルが検出されなければ前記端末は６０８過程で追加的な電力制御無しにＤ２Ｄ発見信号を送信する。この時、送信電力はＰＣＭＡＸ,ｃ、すなわち端末が送信することができる最大電力が用いられることができる。もちろん、前記ＰＣＭＡＸ,ｃ値はＤ２Ｄ送信のために基地局で設定されたり、或いはＤ２Ｄ送信のために規格で指定することができる。
【００６２】
一方、前記６０４の判定過程で隣接セルが検出されると、前記端末はさらに６０５過程へ進行し、Ｄ２Ｄ発見信号を送信するサブフレームで前記隣接セルがＤ２Ｄ通信に設定されているか、或は一般セルラー通信と設定されているか否かを判定する。
【００６３】
前記判定結果、隣接セルの当該サブフレームも同様にＤ２Ｄ通信と設定されていると、前記端末は６０８過程で追加的な電力制御無しにＤ２Ｄ発見信号を送信する。一方、前記６０５過程で隣接セルがセルラー通信と設定されていると、前記端末は６０６過程で前記数式を用いたＤ２Ｄ発見信号送信電力に対する制御を行う。
【００６４】
次いで、前記定められた送信電力を用いて過程６０７で前記端末のＤ２Ｄ発見信号に対する送信を行った後、次いで６０９過程で端末動作を仕上げる。
【００６５】
一方、前記でサービングセルが端末にサービングセルＤ２Ｄ情報と共に隣接基地局情報をシグナリングする方法を記述した。前記方法のために隣接セルはサービングセルでＤ２Ｄ設定情報を伝達しなければならない。
【００６６】
図６Ｂは、隣接セル６５１がサービングセル６５２へＤ２Ｄ設定情報６５３伝達する過程を示す図面である。
【００６７】
前記Ｄ２Ｄ設定情報６５３は、基地局間のインターフェースであるＸ２シグナリングを用いて伝達することができる前記６５３のセルＤ２Ｄ設定情報としては以下の情報が含まれることができる。
Ａ．基地局ＩＤ
Ｂ．Ｄ２Ｄ−セルラー多重化情報
Ｃ．Ｄ２Ｄ信号受信電力目標 (Ｄ２Ｄ_ＲＸ＿ＴＡＲＧＥＴ＿ＰＯＷＥＲ＿ｅＮＢ)
Ｄ．ＣＲＳ送信電力
Ｅ．その他、隣接セル情報
【００６８】
実施形態２：隣接基地局による電力制御
後述する本発明の実施形態２では実施形態１でサービング基地局がシグナリングする情報を用いてＤ２Ｄ発見信号に対する電力制御を行うこととは異なり、端末が直接隣接基地局から情報を受信してＤ２Ｄ発見信号に対する電力制御を行う方法を提示する。
【００６９】
図７は実施形態２を説明するための図面である。
【００７０】
図７の７０１基地局は現在のサブフレームでＤ２Ｄ発見信号のためのサブフレームで割り当てた状態であり、７１１の基地局は同一サブフレームでセルラー通信のためのサブフレームで割り当てた状態である。したがって、７０１基地局に属しているＤ２Ｄ端末７０２、７０３、７０４は発見信号送信手続きにより定められた時間−周波数リソースを用いて発見信号を送信し、これと共に他の端末から送信される発見信号の受信を行う。
【００７１】
この時、７０４のＤ２Ｄ端末は７０１の基地局と７１１の基地局の中間に位置して７０４端末が送信するＤ２Ｄ発見信号は７１１基地局で無視することができない受信電力に受信される可能性がある。前記７０４端末が送信するＤ２Ｄ発見信号の受信は７１１基地局に属したセルラー端末７１２が送信するアップリンクセルラーデータを７１１基地局が受信するにあたり無視し難い雑音として作用して前記７１２端末のアップリンクセルラー送信性能が劣ることができる。前記７１１基地局のセルラーデータ受信性能に影響を最小化するための方法は前記７０４端末のＤ２Ｄ発見信号の送信電力を制御して７１１基地局が前記Ｄ２Ｄ発見信号の受信電力が一定値以下と合わせる方法が可能である。すなわち、７０４端末は隣接基地局７１１の円滑なセルラー通信のためにＤ２Ｄ発見信号の送信電力を減らして７１１基地局に到達される雑音の量を最小化することである。
【００７２】
本実施形態２で提示するＤ２Ｄ発見信号の送信電力制御のために隣接基地局が直接Ｄ２Ｄ関連情報をシグナリングする。シグナリング方法は発見信号の送受信に参与するＲＲＣ−アイドルモード端末(ＲＲＣ−ＩＤＬＥ ｍｏｄｅ ＵＥ、以下、アイドル端末)のためにアイドル端末が受信可能な情報であるシステム情報ブロック(Ｓｙｓｔｅｍ ｉｎｆｏｒｍａｔｉｏｎ ｂｌｏｃｋ、以下 ＳＩＢ)に含んでＤ２Ｄ端末にシグナリングされることができる。この時、端末は隣接基地局のＳＩＢを読めるように隣接基地局の近くに位置しなければならない。また、前記ではＤ２Ｄ関連情報がＳＩＢを介して送信されると記述したが、必ずここに限定されるものではなくＲＲＣシグナリング、又は動的(ｄｙｎａｍｉｃ)シグナリング、物理階層の制御情報などを介して送信することを排除することではないことに留意すべきである。
【００７３】
前記隣接基地局がシグナリングするＤ２Ｄ関連情報には下記の情報が可能である。
１．Ｄ２Ｄ関連情報
Ａ．Ｄ２Ｄ−セルラー多重化情報
Ｂ．Ｄ２Ｄ信号受信電力目標(Ｄ２Ｄ_ＲＸ＿ＴＡＲＧＥＴ＿ＰＯＷＥＲ＿ｅＮＢ)
Ｃ．ＣＲＳ送信電力
Ｄ．その他、セル情報
【００７４】
すなわち、基地局は自分のＤ２Ｄ情報(前記で羅列された)をＤ２Ｄ端末に通知する。すると、Ｄ２Ｄ端末(例えば、７０４のＤ２Ｄ端末のように７０１の基地局と７１１の基地局の中間に位置した端末)は前記隣接基地局が検出される場合、サービング基地局と隣接基地局のＤ２Ｄ-セルラー多重化情報を比べて前記端末がＤ２Ｄ発見信号を送信するサブフレームで隣接基地局がＤ２Ｄサブフレームと設定したか否かを判定する。そして、端末は隣接基地局がセルラー通信を使用する場合、以下の数式３を介して電力制御を行う。
【００７５】
【数３】
2016526852.tif 000005
【００７６】
前記数式３のＰＤ２Ｄは、Ｄ２Ｄ発見信号に対する送信電力であり、ＰＣＭＡＸ，ｃは端末が送信することができる最大電力(物理的に端末が送信することができる可能な最大電力、又は基地局で設定した端末が送信することができる最大電力になることができる。)、及びＤ２Ｄ_ＲＸ＿ＴＡＲＧＥＴ＿ＰＯＷＥＲ＿ｅＮＢはサービング基地局でシグナリングされた情報であり、ＰＬｃは隣接基地局のＣＲＳ(Ｃｅｌｌ ｓｐｅｃｉｆｉｃ ｒｅｆｅｒｅｎｃｅ ｓｉｇｎａｌ)を受信して計算された経路損失(ｐａｔｈ ｌｏｓｓ)値である、この値はＣＲＳ受信電力を計算して受信したＣＲＳ送信電力との比較を介して計算することができる。前記数式は一般的な方法における数式であり、具体的な電力制御は前記数式に追加される値、すなわち任意の値を乗じたり、任意の値を足した式も可能である。
【００７７】
もし、隣接セルが２個以上の場合には以下の数式４で作ることができる。以下でｎは隣接基地局の個数である。
【００７８】
【数４】
2016526852.tif 000006
【００７９】
以下では図８と図９を参考して本実施形態２のための基地局、端末動作を記述する。
【００８０】
図８は、本発明の実施形態２に対する基地局の動作手順を示すフローチャートである。
【００８１】
図８で基地局は８０１の過程を開始すると、基地局は８０２過程でセル内のＤ２Ｄ関連情報を設定する。前記Ｄ２Ｄ関連情報は前述したように、Ｄ２Ｄ−セルラー多重化情報、Ｄ２Ｄ信号受信電力目標(Ｄ２Ｄ_ＲＸ＿ＴＡＲＧＥＴ＿ＰＯＷＥＲ＿ｅＮＢ)、ＣＲＳ送信電力、その他のセル情報のうちの少なくとも一つを含むことができる。
【００８２】
次いで、基地局は８０３過程でＳＩＢシグナリングを用いて前記情報をシグナリングして８０４過程で動作を終了する。
【００８３】
図９は、本発明の実施形態２に対する端末の動作手順を示すフローチャートである。
【００８４】
図９でＤ２Ｄ端末は９０１過程で動作を開始する。
【００８５】
すると、Ｄ２Ｄ端末は９０２過程で、現在の端末が隣接セルの辺りにおいて隣接セルを検出することができるか否かを判定する。隣接セルを検出することができるか否かは隣接セルの同期信号を検出してＣＲＳの受信強度を判定することができるか否か、あるいはＣＲＳの受信強度を判定してＣＲＳの送信電力と受信電力から計算された経路損失値が任意の値より大きくなるか否かなどに基づいて判定することができる。
【００８６】
９０２過程で隣接セルが検出されなければ前記端末は９０８過程で追加的な電力制御無しにＤ２Ｄ発見信号を送信する。この時、送信電力はＰＣＭＡＸ,ｃ、すなわち端末が送信することができる最大電力が用いられることができる。もちろん、前記ＰＣＭＡＸ，ｃ値はＤ２Ｄ送信のために基地局で設定されたり、又はＤ２Ｄ送信のために規格で指定することができる。
【００８７】
一方、前記９０２の判定過程で隣接セルが検出される、前記端末は９０３で隣接セルからＤ２Ｄ関連情報を受信する。そして前記端末は次いで９０４過程のように隣接セルＤ２Ｄ関連情報を獲得することができる。
【００８８】
前記隣接セルＤ２Ｄ関連情報は前記で記述されたＤ２Ｄ−セルラー多重化情報、Ｄ２Ｄ信号受信電力目標(Ｄ２Ｄ_ＲＸ＿ＴＡＲＧＥＴ＿ＰＯＷＥＲ＿ｅＮＢ)、ＣＲＳ送信電力、及びその他セル情報のうちの少なくとも一つを含むことができる。
【００８９】
次いで、前記端末は９０５過程で、Ｄ２Ｄ発見信号を送信するサブフレームで前記隣接セルがＤ２Ｄ通信に設定されているのか、或いは一般セルラー通信に設定されているかを判定する。
【００９０】
隣接セルと同様にＤ２Ｄ通信に設定されていると前記端末は９０８過程で、追加的な電力制御なしにＤ２Ｄ発見信号を送信する。一方、前記９０５の過程で隣接セルがセルラー通信に設定されていると前記端末は９０６過程で前記の数式３又は４を用いたＤ２Ｄ発見信号送信電力に対する制御を行う。
【００９１】
次いで、前記定められた送信電力を用いて過程９０７で前記端末のＤ２Ｄ発見信号に対する送信を行った後、次いで９０９の過程で端末動作を仕上げる。
【００９２】
実施形態３：セル間のＤ２Ｄサブフレームが重なる部分を用いた発見信号送信
前記実施形態１、２を介してサービングセルがＤ２Ｄ発見信号を設定して隣接セルがセルラー通信を設定した場合において端末のＤ２Ｄ発見信号送信に電力制御を行うことによってセルラー通信の受信性能低下問題を解決する方法を提示した。
【００９３】
前記でＤ２ＤリソースとセルラーリソースはＴＤＭ方式で多重化されると言ったが、セル間に設定が異なってもＤ２Ｄリソースが時間軸でどのくらい重なる部分が発生することができる。したがって、隣接セルに近接した端末が２個のセルすべてＤ２Ｄリソースと設定したサブフレームを用いてＤ２Ｄ発見信号を送信すると、前記発見信号がセルラー通信に与える影響を無くすことができるようになり、後述する本実施形態３ではこれに対して具体的に記述する。
【００９４】
サービングセルに属した端末はサービングセルで設定した全体Ｄ２Ｄサブフレーム、すなわち発見信号が送信されることができるリソースで任意の方式を介して一つの発見信号リソースを選定して前記リソースを用いて発見信号を送信する。前記発見信号リソース方式を選定する方法で端末は全体リソースのうちで最も受信電力が小さいリソースを発見して前記リソースを用いて発見信号を送信する方法を取ることができる。
【００９５】
以下、図１０を用いて本実施形態３を説明する。
【００９６】
図１０はセル間の設定が他の場合、Ｄ２Ｄリソースが時間軸で重なる部分が発生することができることを示す図面である。
【００９７】
本実施形態で端末はサービングセル１０００と隣接セル１０１０中間に位置してサービングセルのＤ２Ｄサブフレーム位置１００３と隣接セルのＤ２Ｄサブフレーム位置１０１３を分かっていると仮定する。
【００９８】
端末がサービングセル１０００にだけ属している場合は、発見信号リソースをサービングセルのＤ２Ｄサブフレーム位置１００３のみを考慮して１００３全体リソースのうちで最も適当な発見信号を選定して前記端末の発見信号を送信する。一方、端末が隣接セル１０１０にだけ属している場合は発見信号リソースをサービングセルのＤ２Ｄサブフレーム位置１０１３のみを考慮して１０１３全体リソースのうちで最も適当な発見信号を選定して前記端末の発見信号を送信する。
【００９９】
しかし、端末が前記サービングセルと隣接セルがすべて見える位置にある時、端末は全体リソースで発見信号リソースを選定せず図１０の１０２０で見える２個のセルのＤ２Ｄリソースが重なる部分に限ってだけ発見信号リソースを選定する。
【０１００】
１０２０のリソースのうちで発見信号を選定して前記リソースを用いて発見信号を送信するようになれば前記発見信号は両方のセルに雑音の役目をせずセルラー通信の性能低下問題をもたらさない。
【０１０１】
本実施形態のための端末動作を図１１を用いて記述する。
【０１０２】
図１１は、本発明の実施形態３を行う端末の動作手順を示すフローチャートである。
【０１０３】
図１１の１１０１過程で端末動作を開始する。すると、端末は１１０２過程で現在の端末が属したセルのＤ２Ｄ関連情報を受信し、次いで１１０３で隣接セルのＤ２Ｄ関連情報を受信する。この時、各セルのＤ２Ｄ関連情報は現在のセルのＳＩＢシグナリングを介して分かり、あるいは隣接セルのＳＩＢシグナリングを介して分かることもできる。さらに、現在のセル(サービングセル)又は隣接セルのＳＩＢシグナリングだけでなくＲＲＣシグナリング、又は動的(ｄｙｎａｍｉｃ)シグナリング、物理階層の制御情報などを介してＤ２Ｄ関連情報を受信することもできる。
【０１０４】
次いで、端末は１１０４過程で、端末がハンドオーバー領域に存在するかを判定してハンドオーバー領域に存在しない場合は、１１０６過程のように、サービングセルが設定したＤ２Ｄサブフレームのうちで発見信号を送信するリソースを選択する。
【０１０５】
一方、前記１１０過程で端末がハンドオーバー領域に存在するかを判定してハンドオーバー領域に存在することと判定された場合は、１１０５過程で、サービングセルのＤ２Ｄサブフレームと隣接セルのＤ２Ｄサブフレームが重なる部分が存在するかを判定する。前記判定結果重なる部分が存在する場合、１１０７過程で端末はサービングセルのＤ２Ｄサブフレームと隣接セルのＤ２Ｄサブフレームが重なる部分で前記端末が発見信号を送信するリソースを選択する。一方、Ｄ２Ｄサブフレームと隣接セルのＤ２Ｄサブフレームが重なる部分が存在しないことと判定されると、端末はさらに１１０６過程でサービングセルが設定したＤ２Ｄサブフレームのうちで発見信号を送信するリソースを選択する。
【０１０６】
次いで、端末は１１０８過程で、Ｄ２Ｄサブフレームのうちで前記選択されたリソースを用いて発見信号を送信し、残りリソースを用いて他の端末の発見信号を受信する。
【０１０７】
実施形態４：セル間のＤ２Ｄ発見信号送受信
本実施形態４ではサービングセルと隣接セルがＤ２Ｄサブフレームを異に設定した時、端末が各Ｄ２Ｄサブフレームで発見信号を受信、デコーディングしてサービングセルに属した他のＤ２Ｄ端末からの発見信号はもちろん隣接セルに属した他のＤ２Ｄ端末からの発見信号を受信する方法を提示する。
【０１０８】
もちろん、隣接セルのＤ２Ｄサブフレームから送信される発見信号はサービングセルに属した端末が受信するのに少ない信号に入ることもでき、さらに、サービングセル内で他のセルラー端末がアップリンクセルラーデータ送信のために使用するようになれば、前記セルラー送信による雑音により隣接セルから来る発見信号の受信が容易ではない。しかし、端末が隣接セルの他のＤ２Ｄ端末がいつ発見信号を送信するかを分かると、最大限の発見信号の受信を試みることによって多くのＤ２Ｄ端末の発見信号を受信することができる可能性を高めることができる。
【０１０９】
以下、図１２を通じて本実施形態４を記述する。
【０１１０】
図１２でＤ２Ｄ端末１２０３、１２０４、１２０５はセル１２０１に属しており、一方、端末１２０６、１２０７はセル１２０２に属している。この時、端末１２０５は、セル１２０１とセル１２０２の間に位置して前記セル１２０２の信号受信が可能である。
【０１１１】
セル１２０１のＤ２Ｄサブフレーム設定は、１２１２に示したように１２１４に設定してセル１２０１に属した端末は１２１４のサブフレームを用いて発見信号を送信するように設定される。一方、セル１２０２のＤ２Ｄサブフレーム設定は１２１３に示したように、１２１４の位置とは異なる位置である１２１５に設定してセル１２０２に属した端末は１２１５のサブフレームを用いて発見信号を送信するように設定される。
【０１１２】
このように隣接したセルの間にＤ２Ｄサブフレームが同じではない状況で各セルはセルのＤ２Ｄサブフレーム情報を端末に通知すると共に隣接セルのＤ２Ｄサブフレーム情報を端末に同時に通知する。このために、各セルは隣接セルのＤ２Ｄサブフレーム情報をＸ２インターフェースなどを介して獲得することができる。
【０１１３】
より具体的に、１２０１のセルは、１２０１セルのＤ２Ｄサブフレームと１２０２セルのＤ２Ｄサブフレーム情報を端末１２０３、１２０４、１２０５に通知して１２０１セルに属した端末１２０３、１２０４、１２０５は前記セルで通知する情報を用いて１２１４のサブフレームで発見信号の送信と受信を行い、追加的に１２１５のサブフレームで発見信号の受信を行う。
【０１１４】
同様に、１２０２のセルは１２０２セルのＤ２Ｄサブフレームと１２０１セルのＤ２Ｄサブフレーム情報を端末１２０６、１２０７に通知して１２０２セルに属した端末１２０６、１２０７は前記セルで通知する情報を用いて１２１５のサブフレームで発見信号の送信と受信を行い、追加的に１２１４のサブフレームで発見信号の受信を行う。
【０１１５】
１２０４の端末は、１２１４のサブフレームを用いて発見信号を送信して１２０６の端末が１２１４のサブフレームで発見信号の受信を試みて前記１２０４端末の発見信号を受信することができ、反対に１２０６の端末は１２１５のサブフレームを用いて発見信号を送信して１２０４の端末が１２１５のサブフレームで発見信号の受信を試みて前記１２０６端末の発見信号を受信することができる。
【０１１６】
追加的に、基地局は端末に隣接セルに設定されたサブフレームで発見信号を追加的に送信しなさいという情報(一つ以上の発見信号送信許可情報)を端末に通知することができるが、この時、端末は前記基地局が一つ以上の発見信号送信許可情報を受信した場合、セル内で設定されたＤ２Ｄサブフレームで発見信号を送信し、これと別に隣接セルに設定されたＤ２Ｄサブフレームで発見信号をさらに再度送信する。
【０１１７】
本実施形態４のための基地局動作は実施形態２で図８に対する説明と同じであるので詳しい説明は省略する。
【０１１８】
以下、図１３で本実施形態４のための端末の動作手順を記述する。
【０１１９】
図１３は、実施形態を行う端末の動作手順を示すフローチャートである。
【０１２０】
先ず、Ｄ２Ｄ端末は１３０１過程で動作を開始する。すると、Ｄ２Ｄ端末は１３０２過程でサービングセルでＤ２Ｄ関連情報を受信する。この場合、隣接セルに対する情報が前記Ｄ２Ｄ関連情報中に含まれているので、Ｄ２Ｄ端末は１３０３過程のように隣接セルに対するＤ２Ｄ関連情報を獲得することができる。前記隣接セルＤ２Ｄ関連情報は、前述された基地局ＩＤ、Ｄ２Ｄ-セルラー多重化情報、及び隣接セル発見信号送信インジケーターのうちの少なくとも一つを含むことができる。
【０１２１】
次いで、Ｄ２Ｄ端末は１３０４過程で、現在のサービングセルが設定したＤ２Ｄサブフレームと隣接セルが設定したＤ２Ｄサブフレームが同一であるか否かを判定する。１３０４過程で２個のセルのＤ２Ｄサブフレーム設定が同一であれば、前記端末は１３０８過程でサービングセルが設定したＤ２ＤサブフレームでＤ２Ｄ発見信号を送信し、他の端末の発見信号に対する受信を試みる。
【０１２２】
一方、前記１３０４過程で２個のセルのＤ２Ｄサブフレーム設定が同じではないと判定されると、前記端末は１３０５の判定過程を介して隣接セルのＤ２Ｄサブフレームで送信を許容するか否かを判定することができる。これは隣接セル発見信号送信インジケーターを介して判定することができる。
【０１２３】
前記判定結果、隣接セルのＤ２Ｄサブフレームで発見信号の送信を許容しないと判定されると、Ｄ２Ｄ端末は１３０６過程でサービングセルＤ２ＤサブフレームでＤ２Ｄ発見信号を送信して１３０９過程でサービングセルＤ２Ｄサブフレームと隣接セルＤ２ＤサブフレームのすべてでＤ２Ｄ発見信号の受信を試みる。
【０１２４】
一方、前記１３０５の判定過程を介して隣接セル発見信号送信インジケーターが隣接セルのＤ２Ｄサブフレームで送信を許容したと判定されると、Ｄ２Ｄ端末は１３０７過程でサービングセルＤ２ＤサブフレームでＤ２Ｄ発見信号を送信して追加的に隣接セルＤ２ＤサブフレームＤ２Ｄ発見信号を送信する。次いで、前記Ｄ２Ｄ端末は１３０９過程で、サービングセルＤ２Ｄサブフレームと隣接セルＤ２ＤサブフレームのすべてでＤ２Ｄ発見信号の受信を試みる。
【０１２５】
前記Ｄ２Ｄ端末は、１３１０過程で端末動作を仕上げる。
【０１２６】
一方、前記で端末が一つ以上の発見信号を送信することができる機能を含まない場合は端末動作で１３０５、１３０７過程が省略されることができる。
【０１２７】
実施形態５：セル間のＤ２Ｄ発見信号送受信
本実施形態５では前記実施形態４の変形されたシグナリングと、これによる基地局と端末動作を記述する。
【０１２８】
隣接セルが多数個存在する場合、端末は現在のサービングセルで設定されたＤ２Ｄサブフレーム内で任意の区間で発見信号を送信し、残り区間で他の端末の発見信号を受信する。この時、隣接セルのＤ２Ｄサブフレームで発見信号を受信する場合、結局端末において受信することができるＤ２Ｄサブフレーム区間と受信しなければならないＤ２Ｄサブフレーム区間が変わるようになる。
【０１２９】
したがって、本実施形態では基地局が隣接した他の基地局から各セルが設定したＤ２Ｄサブフレーム区間で送信される発見信号を受信するために、Ｄ２Ｄ端末に前記端末が発見信号を送信することができる送信用Ｄ２Ｄサブフレームと、現在の基地局はもちろん隣接基地局に属した端末が送信する発見信号を受信することができる受信用Ｄ２Ｄサブフレームを別に通知する方法を記述する。
【０１３０】
前記送信用Ｄ２Ｄサブフレームは、前記サービングセルが設定したＤ２Ｄサブフレームであり、受信用Ｄ２Ｄサブフレームは現在のサービングセルと隣接セルが設定したそれぞれのＤ２Ｄサブフレームの合集合と表現される。本実施形態のための基地局と端末動作を図１４、１５を用いて記述する。
【０１３１】
先ず、図１４は本発明の実施形態５による基地局の動作手順を示すフローチャートである。
【０１３２】
先ず、１４０１過程で基地局動作が開始すると、基地局は１４０２過程で現在セルのＤ２サブフレームを含むＤ２Ｄ情報を設定する。そして、基地局は１４０３過程で隣接セルのＤ２Ｄ設定情報を獲得する。前記１４０３過程で、基地局が隣接セルのＤ２Ｄ設定情報獲得過程は前記図６Ｂで記述したようにＸ２シグナリングを介して伝達されることができる。
【０１３３】
次いで、基地局は１４０４過程で、前記現在のセルのＤ２Ｄ設定情報と隣接セルのＤ２Ｄ設定情報を用いてＤ２Ｄ送信区間とＤ２Ｄ受信区間を設定するようになるが、前記Ｄ２Ｄ送信区間は前記サービングセルが設定した実際Ｄ２Ｄサブフレームであり、Ｄ２Ｄ受信区間は現在のサービングセルと隣接セルが設定したそれぞれのＤ２Ｄサブフレームの合集合となる。ここで合集合とは、サービングセル又は隣接セルのうちの少なくとも一つのセルがＤ２Ｄサブフレームと設定したサブフレームであることを意味することができる。例えば、サービングセルのＤ２Ｄサブフレームと隣接セルのＤ２Ｄサブフレームが同じ場合には、Ｄ２Ｄ受信区間、すなわち、サービングセルと隣接セルが設定したそれぞれのＤ２Ｄサブフレームの合集合は結局、サービングセルのＤ２Ｄ送信区間と同一となる。
【０１３４】
次いで、前記基地局は１４０５過程で前記Ｄ２Ｄ送信区間とＤ２Ｄ受信区間情報をそれぞれ基地局に属した端末にシグナリングする。前記シグナリングは、ＳＩＢシグナリング、ＲＲＣシグナリングなどが可能である。次いで前記基地局は１４０６過程で動作を仕上げる。
【０１３５】
図１５は、本発明の実施形態５による端末の動作手順を示すフローチャートである。
【０１３６】
１５０１過程で端末動作が開始すると、端末は１５０２過程で現在属したサービングセルからＤ２Ｄ送信区間とＤ２Ｄ受信区間情報を受信する。端末は前記情報を用いて１５０３過程でＤ２Ｄ送信区間を用いて発見信号を送信する。
【０１３７】
次いで、端末は１５０４過程でＤ２Ｄ受信区間を用いて発見信号を受信する。
【０１３８】
次いで、端末は１５０５過程で端末動作を仕上げる。
【０１３９】
実施形態５は以下の通り記述されることができる。
【０１４０】
端末対端末(Ｄｅｖｉｃｅ ｔｏ Ｄｅｖｉｃｅ、Ｄ２Ｄ)通信をサポートする無線通信システムで信号を送受信するサービング基地局は、端末又は前記サービング基地局と隣接した基地局と信号を送受信する送受信部、及び前記サービング基地局に対するＤ２Ｄ設定情報を設定し、前記サービング基地局に対するＤ２Ｄ設定情報に含まれたＤ２Ｄサブフレームに基づいて端末のＤ２Ｄサブフレーム送信区間を設定し、前記サービング基地局に対するＤ２Ｄ設定情報に含まれたＤ２Ｄサブフレームに基づいて前記端末のＤ２Ｄサブフレーム受信区間を設定する制御部を含むことができる。前記制御部は、隣接した基地局から前記隣接した基地局に対するＤ２Ｄ設定情報を獲得し、前記接した基地局に対する前記Ｄ２Ｄ設定情報を考慮して前記端末のＤ２Ｄサブフレーム受信区間を設定することができる。前記Ｄ２Ｄ設定情報は、前記Ｄ２Ｄ設定情報を設定した基地局の識別子、Ｄ２Ｄ通信とセルラー通信の多重化情報、Ｄ２Ｄ信号受信電力目標、セル特定基準信号(Ｃｅｌｌ ｓｐｅｃｉｆｉｃ Ｒｅｆｅｒｅｎｃｅ Ｓｉｇｎａｌ、ＣＲＳ)送信電力又は隣接セル情報のうちの少なくとも一つを含むことができる。前記送受信部は基地局間のＸ２インターフェースをさらに含み、前記制御部は前記Ｘ２インターフェースを介して前記隣接した基地局に対するＤ２Ｄ設定情報を獲得することができる。前記制御部は、前記端末の前記Ｄ２Ｄサブフレーム送信区間に対する情報及び前記端末の前記Ｄ２Ｄサブフレーム受信区間に対する情報を前記端末にシグナリングすることができる。前記制御部は、システム情報ブロック、上位階層信号又は物理階層信号のうちの少なくとも一つの信号を介して前記端末の前記Ｄ２Ｄサブフレーム送信区間に対する情報及び前記端末の前記Ｄ２Ｄサブフレーム受信区間に対する情報を前記端末に送信することができる。
【０１４１】
端末対端末(Ｄｅｖｉｃｅ ｔｏ Ｄｅｖｉｃｅ、Ｄ２Ｄ)通信をサポートする無線通信システムで発見信号を送受信する端末は、基地局又は他の端末と信号を送受信する送受信部、及び前記端末のサービング基地局からＤ２Ｄサブフレーム送信区間に対する情報、及びＤ２Ｄサブフレーム受信区間に対する情報を受信し、Ｄ２Ｄサブフレーム送信区間に対する情報に基づいて発見信号を送信し、Ｄ２Ｄ サブフレーム受信区間に対する情報に基づいて発見信号を受信する制御部を含み、前記Ｄ２Ｄサブフレーム送信区間は前記サービング基地局に対するＤ２Ｄ設定情報に含まれたＤ２Ｄサブフレームに基づいて設定され、前記Ｄ２Ｄサブフレーム受信区間は前記サービング基地局に対するＤ２Ｄ設定情報に含まれたＤ２Ｄサブフレームに基づいて設定されることができる。前記Ｄ２Ｄサブフレーム受信区間は前記隣接した基地局に対するＤ２Ｄ設定情報に含まれたＤ２Ｄサブフレームを考慮して設定されることができる。前記制御部は、システム情報ブロック、上位階層信号又は物理階層信号のうちの少なくとも一つの信号を介して前記端末の前記Ｄ２Ｄサブフレーム送信区間に対する情報及び前記端末の前記Ｄ２Ｄサブフレーム受信区間に対する情報を受信することができる。
【０１４２】
図１６は、本発明の実施形態による基地局の内部構造を示すブロック図である。
【０１４３】
図１６で示されたように、本発明の基地局は送受信部１６１０と制御部１６２０を含むことができる。
【０１４４】
送受信部１６１０は有線又は無線インターフェースを介して無線通信システムの任意のノードと信号を送受信する。例えば、送受信部１６１０は端末とは無線インターフェースを介して制御情報又はデータを送受信することができる。又は、送受信部１６１０は隣接した基地局同志はＸ２インターフェースと接続され、基地局の関連情報を相互間送受信することができる。
【０１４５】
制御部１６２０は基地局の動作のために各ブロック間の信号流れを制御する。例えば、制御部１６２０はＤ２Ｄ通信を行う端末の発見信号送信電力を制御するための一連の動作を制御することができる。このために、制御部１６２０は基地局の関連情報管理部１６２１をさらに備えることができる。
【０１４６】
基地局の関連情報管理部１６２１は、Ｄ２Ｄ通信を行う端末の発見信号送信電力を制御するために必要な基地局の関連情報を端末に送信するように制御することができる。本発明の各実施形態によって、前記基地局の関連情報管理部１６２１は隣接基地局から獲得した隣接基地局の関連情報を前記端末に送信するように制御することができる。前述したように、前記基地局の関連情報は隣接基地局の識別子、Ｄ２Ｄ通信とセルラー多重化情報、Ｄ２Ｄ通信信号受信電力目標、共通基準信号送信電力又は隣接セル情報のうちの少なくとも一つを含むことができる。また、前記基地局の関連情報はシステム情報ブロック、上位階層信号又は物理階層信号のうちで少なくとも一つの信号を介して前記端末に送信されることができる。
【０１４７】
また、本発明の一実施形態によれば、制御部１６２０は隣接基地局のＤ２Ｄ設定情報を獲得し、Ｄ２Ｄ通信のための送信／受信区間を設定し、設定された送信／受信区間に対する情報を端末に送信するように制御することもできる。
【０１４８】
図１７は、本発明の実施形態による端末の内部構造を示すブロック図である。図１７で示されたように、本発明の端末は送受信部１７１０と制御部１７２０を含むことができる。
【０１４９】
送受信部１７１０は無線インターフェースを介して基地局と信号を送受信する。本発明の実施形態によれば、前記送受信部１７１０はサービング基地局又は隣接基地局からサービング基地局の関連情報、或いは隣接基地局の関連情報を受信することができる。
【０１５０】
制御部１７２０は端末の動作のために各ブロック間の信号流れを制御する。本発明の実施形態による制御部１７２０はサービング基地局又は隣接基地局から受信した隣接基地局の関連情報に基づいてＤ２Ｄ通信遂行のための発見信号の送信電力を制御することができる。このために、制御部１７２０は電力制御部１７２１をさらに備えることができる。
【０１５１】
電力制御部１７２１はサービング基地局又は隣接基地局から隣接基地局の関連情報を受信し、前記受信された隣接基地局の関連情報に基づいてＤ２Ｄ通信遂行のための発見信号の送信電力を制御することができる。発見信号の送信電力を制御する具体的な過程は前述したから、詳しい説明は省略する。
【０１５２】
また、本発明の一実施形態による制御部１７２０は、サービング基地局と隣接基地局のＤ２Ｄサブフレームが重畳される区間でばかり発見信号送信リソースを選択し、発見信号を送信するように制御することもできる。
【０１５３】
本発明によれば、Ｄ２Ｄ通信と無線セルラー通信が混在された無線通信システムにおいて、Ｄ２Ｄ通信のための発見信号の送信電力を制御して前記無線セルラー通信に干渉を最小化させることができる。
【符号の説明】
【０１５４】
１０１  基地局
１０２  セル
１０３、１０４  端末
１６１０  送受信部
１６２０  制御部
１６２１  基地局の関連情報管理部
１７１０  送受信部
１７２０  制御部
１７２１  電力制御部
【図１】
2016526852.tif 000007
【図２】
2016526852.tif 000008
【図３】
2016526852.tif 000009
【図４】
2016526852.tif 000010
【図５】
2016526852.tif 000011
【図６Ａ】
2016526852.tif 000012
【図６Ｂ】
2016526852.tif 000013
【図７】
2016526852.tif 000014
【図８】
2016526852.tif 000015
【図９】
2016526852.tif 000016
【図１０】
2016526852.tif 000017
【図１１】
2016526852.tif 000018
【図１２】
2016526852.tif 000019
【図１３】
2016526852.tif 000020
【図１４】
2016526852.tif 000021
【図１５】
2016526852.tif 000022
【図１６】
2016526852.tif 000023
【図１７】
2016526852.tif 000024
【国際調査報告】
2016526852.tif 000025
2016526852.tif 000026
2016526852.tif 000027
2016526852.tif 000028